(57)【要約】【課題】施工の効率性が向上し得る戸枠を提供する。【解決手段】戸枠１は、戸体２の両側に立設される竪枠１０と、床に設置される下枠２０とを少なくとも備えている。竪枠１０の下端面１２には下枠連結部材３０が取り付けられ、下枠２０の竪枠１０側の端面には連結板４０が取り付けられている。下枠連結部材３０には、下枠２０に取り付けた連結板４０を介して斜め上方より挿通されるねじ具５０に螺合する雌ねじ部３２が形成されている。【選択図】図１
2015045209.tif 000002
【特許請求の範囲】
【請求項１】
戸体の両側に立設される竪枠と、床に設置される下枠とを少なくとも備えた戸枠において、
前記竪枠の下端面には下枠連結部材が取り付けられ、前記下枠の前記竪枠側の端面には連結板が取り付けられており、
前記下枠連結部材には、前記下枠に取り付けた前記連結板を介して斜め上方より挿通されるねじ具に螺合する雌ねじ部が形成されていることを特徴とする戸枠。
【請求項２】
請求項１において、
前記雌ねじ部は、板ナットにより構成され、該板ナットは前記下枠連結部材に内装されており、
前記下枠連結部材には、前記下枠側の端面より前記板ナットに通じるねじ挿通路が形成されていることを特徴とする戸枠。
【請求項３】
請求項１において、
前記下枠連結部材にはねじ挿通路が形成され、該ねじ挿通路に前記雌ねじ部が形成されていることを特徴とする戸枠。
【請求項４】
請求項２または３において、
前記連結板には、前記ねじ具を前記下枠連結部材の前記ねじ挿通路に挿通させるためのガイド用挿通孔が形成されていることを特徴とする戸枠。
【発明の詳細な説明】
【技術分野】
【０００１】
本発明は、戸体の両側に立設される竪枠と、床に設置される下枠とを少なくとも備えた戸枠に関する。
【背景技術】
【０００２】
従来、建物等の開口部を開閉するための引戸等の戸体設置用の戸枠として、たとえば特許文献１に記載のものが挙げられる。この戸枠は、引戸用の戸枠であり、引戸の戸車が走行するレール部材が配された引戸溝を有した下枠を有している。その下枠は、竪枠の下端部に形成した下枠連結部にねじ具で固定される。
【０００３】
戸枠の施工においては、下枠はその一部のみが床面よりも上方に突出され、下部が床面よりも下方に配される。その下枠の下部と同様に、竪枠の下枠連結部も床面よりも下方に配される。
【０００４】
この竪枠の下枠連結部は下枠との連結のための部位であるから通例では、戸じゃくり溝の下方など一部分にのみ下枠連結部が突出形成された竪枠が広く用いられている。このような形状の竪枠は、施工後には下枠連結部が床面よりも下方に配され、下枠連結部を除く竪枠下端面が床面に接するように設置される。
【先行技術文献】
【特許文献】
【０００５】
【特許文献１】特開２００７−９２３４０号公報
【発明の概要】
【発明が解決しようとする課題】
【０００６】
ところで、上述したように、下枠連結部を含む竪枠、下枠間の連結部を床面よりも下方側に配設するように戸枠を施工する必要があるため、従来では、施工性を考慮して、竪枠と下枠とを組み付けた後に開口部に固定する方法が採られていた。
【０００７】
また、特許文献１のものは、作業性を向上させるために下枠連結部が別体の下枠連結部材を用いた構成としている。そのため、竪枠および下枠を別々に取り付けてから両部材を連結することも可能であるが、ねじ具の固定作業は決して容易ではなく、施工に時間を要することが予想される。
【０００８】
本発明は、このような事情を考慮して提案されたもので、その目的は、施工の効率性が向上し得る戸枠を提供することにある。
【課題を解決するための手段】
【０００９】
上記目的を達成するために、本発明の戸枠は、戸体の両側に立設される竪枠と、床に設置される下枠とを少なくとも備えた戸枠において、竪枠の下端面には下枠連結部材が取り付けられ、下枠の竪枠側の端面には連結板が取り付けられており、下枠連結部材には、下枠に取り付けた連結板を介して斜め上方より挿通されるねじ具に螺合する雌ねじ部が形成されていることを特徴とする。
【００１０】
本発明においては、雌ねじ部は、板ナットにより構成され、該板ナットは下枠連結部材に内装され、下枠連結部材には、下枠側の端面より板ナットに通じるねじ挿通路が形成された構成としてもよい。
【００１１】
本発明においては、下枠連結部材にはねじ挿通路が形成され、該ねじ挿通路に雌ねじ部が形成された構成としてもよい。
【００１２】
本発明においては、連結板に、ねじ具を下枠連結部材のねじ挿通路に挿通させるためのガイド用挿通孔が形成された構成としてもよい。
【発明の効果】
【００１３】
本発明の戸枠によれば、上述の構成となっているため、戸枠の施工の効率性を向上させることができる。
【図面の簡単な説明】
【００１４】
【図１】本発明の一実施形態に係る戸枠の要部分解斜視図である。
【図２】竪枠の底面側の部分斜視図である。
【図３】下枠連結部材の説明図である。（ａ）は斜視図、（ｂ）は正面図、（ｃ）は（ａ）のＡ−Ａ線概略断面図である。
【図４】（ａ）は竪枠の下端部の拡大部分背面図、（ｂ）は下枠連結部材を取り付けた状態の同拡大部分背面図である
【図５】（ａ）は下枠の部分平面図、（ｂ）は下枠の縦断面図、（ｃ）は連結板を取り付けた状態の竪枠側の同側面図である。
【図６】連結板の説明図である。（ａ）は下枠への取付面側の斜視図、（ｂ）は外面側の斜視図、（ｃ）はＢ−Ｂ線断面図である。
【図７】図３（ａ）のＡ−Ａ線に対応した、戸枠の要部概略断面図である。
【図８】戸枠（下枠付き戸枠）の正面図である。
【図９】戸枠（下枠なし戸枠）の正面図および要部拡大縦断面図である。
【図１０】本発明の他の実施形態に係る戸枠の要部概略縦断面図である。
【発明を実施するための形態】
【００１５】
以下に、本発明の実施の形態について、添付図面にもとづいて説明する。
図１〜図９は、本発明の一実施形態に係る戸枠の説明図である。
【００１６】
本実施形態に係る戸枠１（引戸枠）は、図８および図９に示すように、住居等の建物の内壁５に開設された開口部４に取り付けられる。この戸枠１には、開口部４を閉塞または開放するための１枚からなる戸体２（引戸）がスライド自在に配置される。なお、図８は下枠付き戸枠、図９は下枠なし戸枠の各説明図である。
【００１７】
この戸枠１は、戸体２の両側に立設される竪枠１０、１０と、床に設置される下枠２０とを少なくとも備えている。
【００１８】
図１に示すように、竪枠１０の下端面１２には下枠連結部材３０が取り付けられ、下枠２０の竪枠１０側の端面には連結板４０が取り付けられている。下枠連結部材３０には、下枠２０に取り付けた連結板４０を介して斜め上方より挿通されるねじ具５０（ボルト）に螺合する雌ねじ部３２（図３（ｃ）参照）が形成されている。
【００１９】
下枠連結部材３０を竪枠１０の床設置面１２に取り付け、床面７よりも下方側に配し、この下枠連結部材３０を介して、竪枠１０、１０と、下枠２０とをねじ具５０などの固定具にて連結して下枠付き戸枠が形成可能とされる。一方、下枠連結部材３０を竪枠１０の床設置面１２に取り付けずに下枠なし戸枠が形成可能とされる。
【００２０】
ここで、下枠付き戸枠は、竪枠１０に下枠２０が連結される戸枠１とされる。また、下枠なし戸枠は、下枠２０を設置しないもの、または下枠２０は設置しても床に埋設され、竪枠１０との連結を要しないものが含まれる。
【００２１】
竪枠１０に取り付けられる下枠連結部材３０は、上述したように、竪枠１０に取り付けて施工することもでき、取り付けずに施工することもできる。つまり、図８に対応した引戸用の下枠付き戸枠として形成する場合には、下枠連結部材３０を付加部材として使用でき、図９に対応した吊り戸用などの下枠なし戸枠として形成する場合には、下枠連結部材３０を用いずに使用すればよい。
【００２２】
まず、この戸枠１を引戸用の下枠付き戸枠として施工する場合の、図８のＸ部における竪枠１０と下枠２０との連結構造について例示し、説明する。
【００２３】
図８に示した戸枠１は、天井側に設置される上枠３と、床側に設置される下枠２０と、これら上枠３および下枠２０の左右に設置される一対の竪枠１０、１０と、竪枠１０、１０間のほぼ中央の位置に設置される中方立８とを備えている。なお、図８における符号６は控え壁である。
【００２４】
戸枠１はさらに、図１に示すように、竪枠１０に取り付ける下枠連結部材３０、および下枠２０に取り付ける連結板４０を備えている。
【００２５】
図１に示すように、竪枠１０の内側面（戸体２を配する側の側面（図８参照））には、戸体２の戸先側の端部を収容する戸じゃくり溝１１が長手方向の全体にわたって形成されている。なお、図１では不図示であるが、図８に示した他方の竪枠１０にも、戸体２の戸尻側の端部を収容する戸じゃくり溝１１が長手方向の全体にわたって形成されており、以下に説明する、図８のＸ部の構造と同様の連結構造となっている。
【００２６】
図１に示すように、戸じゃくり溝１１は竪枠１０の下端にいたるまで形成されており、下端面（床設置面１２）における、戸じゃくり溝１１に対応した部位（図２のクロスハッチングを付した部位）に、下枠連結部材３０が取り付けられる。また、図２に示すように、竪枠１０の下端部の外側面には、後述する下枠連結部材３０の結合用突部３７と嵌合する嵌合用凹部１３が形成されている。
【００２７】
一方、下枠２０は竪枠１０、１０の下端部間に配される。この下枠２０の上面には、図１に示すように、戸体２（引戸）に設けられた戸車（不図示）が係合して、引戸の走行をガイドするレール部材２２が嵌め込まれた引戸溝２１が長手方向の全体にわたって形成されている。さらに、上述したように、下枠２０の竪枠１０側の端面には竪枠１０と連結するための連結板４０が取り付けられている。
【００２８】
まず、竪枠１０と下枠２０との連結に関する竪枠１０側の構造について、図１〜図４を参照して説明する。
【００２９】
下枠連結部材３０は合成樹脂製である。もちろん、合成樹脂以外の硬質材料を素材としてもよい。下枠連結部材３０は、図３（ａ）〜（ｃ）に示すように、外観が概ね直方体の形状とされる本体部３１を有している。
【００３０】
本体部３１の内側面（竪枠１０の戸じゃくり溝１１が形成された側面側の面）には、連結板４０に係合する係合部が形成されている。係合部は、上部の両端の２つの係合小突部３８、３８と、下部中央の上端が湾曲した中央突部３９との３つの突出部よりなる。これらが、後述する連結板４０に設けた係合部（係合受部４５、４５、４６）（図６（ｂ）参照）に対してそれぞれ係合するようになっている。
【００３１】
本体部３１の内側面と上面との角部における中央突部３９の上方部には、開口が形成されている。この開口は、本体部３１の内部中央に向けて斜め下方に形成されたねじ挿通路３３に通じている。ねじ挿通路３３は斜め上方より挿通されるねじ具５０の軸部５１の挿通路であり、ねじ挿通路３３の終端側の空間には、金属製の板ナットよりなる雌ねじ材が内装されて雌ねじ部３２が形成されている。この雌ねじ材に、連結板４０を介して挿通されたねじ具５０が螺合することで、下枠連結部材３０と連結板４０とが結合する。
【００３２】
また、本体部３１の上面の開口３１ａは、雌ねじ材を本体部３１の内部に装着するための開口である。このように板ナットを下枠連結部材３０に内装する構成であるため、雌ねじ部付きの下枠連結部材３０を簡易に成形することができる。この雌ねじ部付きの下枠連結部材３０は、２色成形により成形してもよい。特に下枠連結部材３０を合成樹脂で形成するようにしているため、このように雌ねじ部３２を簡易に形成することができる。
【００３３】
図３（ｃ）に示すように、本体部３１には下面から上面に通じる、固定ねじ５５（図７参照）のねじ装着孔３５が形成されている。また本体部３１の下面側には、ねじ装着孔３５に通じる、ねじ装着孔３５よりも径大としたねじ頭部収容凹所３６が形成されている。
【００３４】
本体部３１の上面の外側面側には、竪枠１０の嵌合用凹部１３に嵌合する結合用突部３７が形成されている。この結合用突部３７は、図３（ｂ）に示すように、円形の下端部を切り取った形状とされ、その外周部には一定間隔で線状の小突起３７ａ、３７ａが形成されている。
【００３５】
このような下枠連結部材３０は、竪枠１０の下端面１２の所定の部位（図２参照）に取り付けられる。下枠連結部材３０は、結合用突部３７が竪枠１０の嵌合用凹部１３に嵌め入れられ、下方より固定ねじ５５（図７参照）で竪枠１０に取付固定されて、下枠付き戸枠の竪枠材として使用可能とされる。
【００３６】
結合用突部３７を嵌め入れる竪枠１０の嵌合用凹部１３は、図４（ａ）、（ｂ）に示すように、結合用突部３７の小突起３７ａ、３７ａに圧接される程度に、結合用突部３７と径がほぼ同じか、やや大きめの形状の凹部とされる。
【００３７】
このように、下枠連結部材３０は竪枠１０の下端部に対し、固定ねじ５５（図７参照）によるねじ止めと、結合用突部３７の嵌合用凹部１３への嵌合とで固定されるようになっている。そのため、下枠連結部材３０が取り付けられたのちに、ずれたり外れたりすることを防止できる。特に、嵌合用凹部１３の下方側開口１３ａの幅寸法Ｌ１が結合用突部３７の最大幅寸法Ｌ２（円の直径に相当）よりも小とされるため、結合用突部３７が下方側開口１３ａから抜け外れるおそれはない。なお、さらに強固に固定するために結合用突部３７の外側面から竪枠１０に対し、ねじ止めするようにしてもよい。
【００３８】
嵌合用凹部１３および結合用突部３７の形状は、図４に示した形状に限られず、両者の寸法関係が上述したような寸法関係とした形状であれば、どのような形状であってもよい。また、結合用突部３７を、嵌合用凹部１３の下方側開口１３ａから下方へ抜け出しが可能な形状にして、その代わりに結合用突部３７の外側面から竪枠１０に対しねじ等の固定具で固定する構成としてもよい。
【００３９】
このように竪枠１０の下端面１２に取り付けた下枠連結部材３０は、戸枠１の施工に際し、床面７よりも下方側に配される（図４（ｂ）参照）。
【００４０】
ついで、竪枠１０と下枠２０との連結に関する下枠２０側の構造について、図１、図５および図６を参照して説明する。
【００４１】
下枠２０に取り付けられる連結板４０は合成樹脂製である。連結板４０は、図５（ａ）に示すように、竪枠１０の戸じゃくり溝１１に対応した、平面視で細長台形形状とされる。つまり、連結板４０は、下枠２０と竪枠１０との連結において、下枠２０の端面と戸じゃくり溝１１の底部との間の、戸じゃくり溝１１の隙間空間に配されるスペーサとしても作用する部材である。
【００４２】
この連結板４０を取り付ける下枠２０は、縦断面および端面が図５（ｂ）に示した形状とされる。下枠２０の幅方向（戸枠１の見込み方向）の両端には、両側方に突出した庇部２３、２３が形成されている。庇部２３、２３を含む下枠２０の上部は、戸枠１の施工に際し、床面７よりも上方側に配される。つまり、戸枠１が施工されると、庇部２３、２３の下方の凹所２４、２４のそれぞれに床材（不図示）が嵌合されて、両庇部２３、２３の下面を結ぶ仮想線（２点鎖線で図示）よりも下方部が床面７よりも下方側に配されることとなる。
【００４３】
下枠２０の庇部２３、２３よりも下方部における幅方向の両側部には、床材の実（不図示）を嵌合する凹溝２５、２５が形成されている。また下枠２０の下面側の３箇所には、肉抜き凹溝２６、２７、２６が形成されている。中央の肉抜き凹溝２７は、連結板４０を取り付ける際の位置決め用の係合凹部とされる。
【００４４】
連結板４０は、下枠連結部材３０に直接連結される部材であるが、その上部が竪枠１０の戸じゃくり溝１１に嵌合する形状となっており、そのために、連結板４０の上部には、戸じゃくり溝１１の平面視形状に合致した溝嵌合部４１が形成されている。この溝嵌合部４１は、連結板４０の本体部４２よりも幅方向に両翼のごとく突出している。
【００４５】
また、溝嵌合部４１の両端部には切り込み溝４１ａ、４１ａが形成されている。この切り込み溝４１ａ、４１ａのいずれか一方の外側を切り落とした２つの連結板を、切断部同士を突き合わせ見込み方向に連結することで、幅寸法の大きな戸じゃくり溝１１にも対応させることができる。
【００４６】
連結板４０には、竪枠１０側から下枠２０側に貫通する、下枠２０に対する取付固定用の２つのねじ取付孔４７、４７が開設されている。それらねじ取付孔４７、４７の中間位置の、引戸溝２１の端部の開口に相当する部位には、下枠２０側から竪枠１０側に貫通するガイド用挿通孔４３が形成されている。
【００４７】
このガイド用挿通孔４３は、図６（ａ）〜（ｃ）に示すように、下枠２０側（図６（ｃ）における連結板４０の左側）から竪枠１０側（同右側）に向けて斜め下方に開設されている。このガイド用挿通孔４３は、戸枠１の施工に際し、ねじ具５０を竪枠１０の下枠連結部材３０のねじ挿通路３３に挿通させるためのガイド孔である。連結板４０の下枠２０側の面には、ガイド用挿通孔４３に通じる、ガイド用挿通孔４３よりも径大としたねじ頭部収容凹所４４が形成されている。
【００４８】
また、連結板４０の竪枠１０側の面には、下枠連結部材３０に形成された３つの係合部３８、３９、３８と相互に係合する係合部（係合受部４５、４６、４５）が形成されている（図５（ｃ）および図６（ｂ）参照）。これら係合部のうち、下枠２０への取付固定用のねじ収容凹所４８、４８のそれぞれと連通する角穴よりなる２つの係合受部４５、４５は、下枠連結部材３０に形成された係合小突部３８、３８に対応した係合部である、また、係合部のうち中央下部に設けた凹部よりなる係合受部４６は、下枠連結部材３０に形成された中央突部３９に対応した係合部である。
【００４９】
連結板４０の下枠２０側の面には、下枠２０の下面に設けられた係合凹部（肉抜き凹溝２７）と係合する係合突部４９が形成されている（図５（ｂ）および図６（ａ）、（ｃ）参照）。
【００５０】
以上に説明した下枠連結部材３０付きの竪枠１０と、連結板４０付きの下枠２０とは、図７に示すように、ねじ具５０にて連結される。
【００５１】
具体的には、竪枠１０と下枠２０とは、下枠連結部材３０と連結板４０とが係合部同士の係合により位置決めされた状態で結合することで連結している。結合した状態では、ねじ挿通路３３とガイド用挿通路４３とにより、ねじ具５０の挿通が可能な直線状のねじ挿通空間が形成されている。そのねじ挿通空間に、連結板４０側の開口（ねじ頭部収容凹所４４）よりねじ具５０が挿入され、雌ねじ部３２に螺合して、竪枠１０と下枠２０とが相互に固定される。
【００５２】
このように、ねじ具５０を、連結板４０を介して下枠連結部材３０に対して斜め上方より挿入し雌ねじ部３２（雌ねじ材）と螺合する構成であるため、ねじ止め操作がしやすく、戸枠１の施工を効率的に行える。また、斜め方向にねじ止めするので固定性もよい。
【００５３】
また、ねじ挿通路３３およびガイド用挿通路４３を設けて、斜め方向からのねじ具５０の挿通をしやすくした構成であるため、竪枠１０および下枠２０を別々に開口部４（図８参照）に取り付けてから両枠材を連結する場合に、特に効果的である。
【００５４】
また、下枠２０に連結板４０を取り付けて竪枠１０と連結するようにしているので、両部材の組み付け時における作業性を向上させることができる。連結板４０はその一部（溝嵌合部４１）が戸じゃくり溝１１に嵌合する構造となっているため、組み付け作業時にずれが発生しにくく、ねじ具５０による固定作業をしやすくできる。また、連結板４０は戸じゃくり溝１１に嵌まり込んで下枠２０と竪枠１０との隙間に配されるので、美観を損なうこともない。
【００５５】
さらに、下枠連結部材３０および連結板４０のそれぞれには、相互に位置決めできるように係合する係合部を備えているため、組み付け作業時の作業性をさらに向上させることができる。
【００５６】
また、下枠連結部材３０の内部には、斜め上方より挿通されるねじ具５０に螺合する雌ねじ部３２が形成されているため、固定作業をスムースに行える。特に本実施形態の戸枠１では、連結板４０に下枠連結部材３０のねじ挿通路３３に挿通させるためのガイド用挿通孔４３が形成されているため、軸部５１が引っかかることなくねじ具５０を装着することができる。
【００５７】
なお、竪枠１０と下枠２０との連結はねじ具５０を用いず、ビスや釘などの他の固定具で固定するようにしてもよい。つまり、下枠連結部材３０は、雌ねじ部３２やねじ挿通路３３を設けない構成としてもよい。
【００５８】
以上に説明したように、本実施形態に係る戸枠１は、竪枠１０に下枠連結部材３０を取り付けることで、図８に示したような下枠付き戸枠を手間なく迅速に形成することができる。
【００５９】
また、この戸枠１は、竪枠１０に対して別体の下枠連結部材３０を装着する構成となっているため、下枠連結部材３０を取り付けずに竪枠１０を使用することもできる。つまり、戸枠１の施工に際し、下枠２０の設置の要否に関係なく、同一の竪枠２０を使用できる。また、下枠連結部材３０の着脱により使い分けする構成であるため、竪枠２０を切断する必要もない。
【００６０】
下枠連結部材３０を用いない戸枠１によれば、図９に示すように、下枠２０を床に設置せず、戸体２（引戸）を上枠３より吊り支持するような下枠なし戸枠を形成することもできる。ようするに、この戸枠１の竪枠１０は、図９の要部拡大縦断面図に示すように、戸じゃくり溝１１の下方に、図１に示したような下枠連結部材３０が突出することはなく、床設置面１２の全体が床面７に接するように設置される。
【００６１】
つぎに、本発明の他の実施形態に係る戸枠について、図１０を参照しながら説明する。
【００６２】
この戸枠１は、竪枠１０の下端面に取り付ける下枠連結部材３０が上述した実施形態のものと相異する。具体的には、図１０に示すように、下枠連結部材３０にはねじ挿通路３３が形成され、そのねじ挿通路３３に雌ねじ部３２が形成されている。つまり、ねじ挿通路３３にはねじ溝が形成されている。
【００６３】
このように、ねじ挿通路３３に雌ねじ部３２が形成されているので、ねじ具５０の軸部５１はその大部分が雌ねじ部３２に螺合する。そのため、竪枠１０と下枠２０との連結性をさらに強化することができる。なお、筒状の雌ねじ材をねじ挿通路３３に配設した構成としてもよい。
【００６４】
本実施形態の戸枠１による効果や他の構成部については、上述した実施形態のものと同様であるため、それらの説明および図示については省略する。
【００６５】
以上に示した２実施形態に係る戸枠１は、引戸用のものとして例示したが、それらのみならず、開き戸や折戸にも適用が可能であることはいうまでもない。
【符号の説明】
【００６６】
１            戸枠
２            戸体
７            床面
１０          竪枠
１１          戸じゃくり溝
１２          床設置面（下端面）
１３          嵌合用凹部
１３ａ        下方側開口
２０          下枠
２１          引戸溝
３０          下枠連結部材
３２          雌ねじ部（雌ねじ材、板ナット）
３３          ねじ挿通路
３７          結合用突部
３７ａ        小突起
３８          係合小突部（係合部）
３９          中央突部（係合部）
４０          連結板
４３          ガイド用挿通孔
４４          ねじ頭部収容凹所
４５、４６    係合受部（係合部）
５０          ねじ具（固定具）
【図１】
2015045209.tif 000003
【図２】
2015045209.tif 000004
【図３】
2015045209.tif 000005
【図４】
2015045209.tif 000006
【図５】
2015045209.tif 000007
【図６】
2015045209.tif 000008
【図７】
2015045209.tif 000009
【図８】
2015045209.tif 000010
【図９】
2015045209.tif 000011
【図１０】
2015045209.tif 000012